(57)【要約】【課題】シャワーを用いて座って湯水を使うとき、シャワーホースが無作為に動くことを防いで使用できる浴室カウンターを提供する。【解決手段】浴室の側壁に取り付けて用いるカウンターであって、該カウンターＡの両側面部にシャワーホースを保持する保持手段を設け、かつ、上記シャワーホース５を該保持手段から容易に外せるよう上記カウンターＡの下部２を膨出させるとともに、該下部の側面をテーパ面３としたことを特徴とする。好ましくは、上記保持手段は、カウンターＡの両側面部の後端部を切り欠き、浴室側壁との間に形成された保持空間１とする。【選択図】図１
2006061240.tif 000002
【特許請求の範囲】
【請求項１】
浴室の側壁に取り付けて用いるカウンターであって、該カウンターの両側面部にシャワーホースを保持する保持手段を設け、かつ、上記シャワーホースを該保持手段から容易に外せるよう上記カウンターの下部を膨出させるとともに、該下部の側面をテーパ面としたことを特徴とする浴室カウンター。
【請求項２】
上記シャワーホース保持手段がカウンターの両側面部の後端部を切り欠き、浴室側壁との間に形成された保持空間である請求項１に記載の浴室カウンター。
【請求項３】
上記シャワーホース保持手段がカウンターの両側面部の奥側に設けられた凸条部である請求項１に記載の浴室カウンター。
【発明の詳細な説明】
【技術分野】
【０００１】
本発明は、浴室の側壁に取り付けられるカウンターに関する。さらに詳しくは、シャワーホースを保持する保持手段を備えた浴室カウンターに関する。
【背景技術】
【０００２】
従来、浴室の洗い場において、本願図４に示すように、洗面器やセッケン等を載せるためのカウンターＣおよびシャワー用具等を付設した水栓金具を浴室の側壁に取り付けた構成が広く知られ、入浴者は、鏡に向かって浴室カウンターＣを前にして浴用の椅子に座り、上記水栓金具から湯水を供給し、シャワーノズル６を使用して身体や髪を洗う。
【特許文献１】特開平５−２８５０６２号公報（第１−３頁、第１図）
【発明の開示】
【発明が解決しようとする課題】
【０００３】
通常、入浴者は浴用の椅子に座り、シャワーノズル６を使うとき、本願図４に示すシャワーホース５をシャワーフック７から外し、上記カウンターＣから適当な距離をおいて湯水を使うことが多い。そのため、シャワーホース５がフリーとなって無作為に動き、上記カウンターＣに載置した洗面器やセッケン、シャンプー等（図示せず）をシャワーホース５で引っかけ、洗面器を落としたり、セッケン、シャンプー等を倒すという問題がある。本発明はこのような問題を解決し、シャワーホースが無作為に動いてカウンター上の洗面器等を落とすことなく、快適に身体や髪を洗うことができる浴室カウンターを提供することをその課題とする。
【課題を解決するための手段】
【０００４】
上記課題を解決するために、本発明においてはつぎのような技術的手段を講じている。すなわち、本発明によれば、浴室の側壁に取り付けて用いるカウンターであって、該カウンターの両側面部にシャワーホースを保持する保持手段を設け、かつ、上記シャワーホースを該保持手段から容易に外せるよう上記カウンターの下部を膨出させるとともに、該下部の側面をテーパ面としたことを特徴とする浴室カウンターが提供される。
【０００５】
上記シャワーホース保持手段がカウンターの両側面部の後端部を切り欠き、浴室の側壁との間に形成された保持空間であることが好ましい。また、上記シャワーホース保持手段がカウンター両側面部の奥側に設けられた凸条部とすることが好ましい。
【発明の効果】
【０００６】
請求項１に記載の発明は上記のとおりであり、カウンターの両側面部にシャワーホース保持手段を設け、上記シャワーホースを該保持手段から容易に外せるよう上記カウンターの下部を膨出させるとともに、該下部の側面をテーパ面としているため、シャワーホースが無作為に動いてカウンター上の洗面器等を落とすことなく、上記保持手段でシャワーホースをしっかりと保持し、快適に身体や髪を洗うことができる。
【０００７】
上記シャワーホース保持手段がカウンターの両側面部の後端部を切り欠き、浴室の側壁との間に形成された保持空間とされているため、この保持空間にしっかりとシャワーホースが保持され、立ってシャワーを使うときには、上記したテーパ面に沿ってシャワーホースをスムースに引き上げられるとともに、容易に上記保持空間から外すことができる。
【０００８】
上記シャワーホース保持手段がカウンター両側面部の奥側に設けられた凸条部とされているため、凸条部の入り隅部分でしっかりとシャワーホースが保持され、立ってシャワーを使うときには、上記したテーパ面に沿ってシャワーホースをスムースに引き上げられるとともに、容易に上記凸条部から外すことができる。
【発明を実施するための最良の形態】
【０００９】
以下、本発明の実施形態について図面を参照して、詳細に説明する。図１に、本発明の第一実施形態にかかるカウンターＡを斜視図によって示す。また、図２（ａ）に上記カウンターＡの正面図を、図２（ｂ）に平面図を示す。図１および図２（ａ）、図２（ｂ）からよくわかるように、浴室の側壁に取り付けられ、洗面器やセッケン、シャンプー等を載置して用いる上記カウンターＡは、その両側面部の後端部を切り欠くことによって浴室の側壁との間にシャワーホース５を保持するための保持空間１が形成されている。浴室カウンターＡの下部２は膨出しており、該下部２の側面はテーパ面３とされている。上記保持空間１は下部２の両側面後部を内方に凹ますことにより形成される。該保持空間１と該下部２の側面との境界部が出隅部分１１となっている。
【００１０】
入浴者はカウンターＡの前に座り、カウンターＡの下方からシャワーノズル６を手許に引き寄せて湯水を使用するが、このとき、シャワーホース５は、上記出隅部分１１に邪魔されて保持空間１でしっかりと保持されて、シャワーホース５が無作為に動いてカウンターＡ上に載置された洗面器等（図示せず）を落とすことを防ぐ。また、上記保持空間１の出隅部分１１は角取りをされており、立ってシャワーを使うときには、上記したテーパ面３に沿ってシャワーホース５が引き上げられるとともに、出隅部分１１に引っかかることなくスムースに外すことができる。
【００１１】
図３は、本発明の第二実施形態にかかる浴室カウンターＢを示す斜視図である。図３からよくわかるように、上記カウンターＢは、その両側面部の浴室の側壁側にシャワーホース５を保持する凸条部４が設けられている。したがって、座ってシャワーノズル６を使うときは、シャワーホース５が上記凸条部４の入り隅部分４１でしっかりと保持されて、シャワーホース５が無作為に動いてカウンターＡ上の洗面器等（図示せず）を落とすことを防ぐ。また、第二実施形態においても第一実施形態と同様に、立ってシャワーを使うとき、シャワーホース５がスムースに外れるように、凸条部４は角取りをされ、浴室カウンターＢの下部２を膨出させるとともに、該下部側面はテーパ面３とされている。なお上記凸条部４は部分的な凸部をその概念に含むものであり必ずしもカウンターＡの高さ方向全長形成する必要はない。
【００１２】
以上、第一、第二実施形態について詳しく説明したように、本発明の浴室カウンターを使用することにより、浴用の椅子に座ってカウンターＡのシャワーホース５を使うため、シャワーホース５が無作為に動いてカウンター上の洗面器等を落としたり、シャンプー等を倒すことを防ぐ。また、立ってシャワーを使うときは、シャワーホース５がスムースに保持手段から外れ、快適に身体や髪を洗うことができる。
【図面の簡単な説明】
【００１３】
【図１】本発明の第一実施形態にかかるカウンターを示す斜視図である。
【図２】（ａ）本発明の第一実施形態にかかるカウンターを示す正面図である。（ｂ）本発明の第一実施形態にかかるカウンターを示す平面図である。
【図３】本発明の第二実施形態にかかる浴室カウンターを示す斜視図である。
【図４】カウンターおよび水栓金具等を浴室の側壁に取り付けた公知の構成を示す斜視図である。
【符号の説明】
【００１４】
Ａ          本発明の第一実施形態にかかるカウンター
１          保持空間
１１        上記の出隅部分
２          上記カウンターの下部
３          上記下部側面のテーパ面
５          シャワーホース
６          シャワーノズル
Ｂ          本発明の第二実施形態にかかるカウンター
４          凸条部
４１        上記の入り隅部分
Ｃ          公知のカウンター
７          シャワーフック
【図１】
2006061240.tif 000003
【図２】
2006061240.tif 000004
【図３】
2006061240.tif 000005
【図４】
2006061240.tif 000006